(57)【要約】【課題】景品買取り業者が直接操作して景品準備金を受け取ることができ、また、両替機の機能を付加した売上金入金処理装置を提供すること。【解決手段】ＩＤ認識部と、帯封収納部と、景品準備金ＢＯＸと、回収ＢＯＸと、千円リサイクル部とを備えるとともに、操作者が遊技店の従業員の場合は前記帯封収納部からの紙幣の取出しを該従業員にのみ許可する従業員操作モードと、操作者が景品買取業者の場合は前記景品準備金ＢＯＸからの紙幣の取出しを該景品買取業者にのみ許可する景品業者操作モードと、操作者が警送会社の係員の場合は前記回収ＢＯＸからの紙幣の取出しを該係員にのみ許可する警送会社操作モードと、前記ＩＤ認識の有無に拘わらず、全ての操作者からの両替の要求に応じて前記千円リサイクル部から両替紙幣を排出する両替操作モードをさらに備えたことを特徴とする売上金入金処理装置によって達成される。【選択図】図２
2004362494.tif 000002
【特許請求の範囲】
【請求項１】
遊技店の店舗内に設置される売上金入金処理装置であって、該装置は、
入力された操作者のＩＤから操作者の属性を判別するＩＤ認識部と、
帯封された紙幣を収納する帯封収納部と、
特殊景品購入のための準備金を収納する景品準備金ＢＯＸと、
売上金の中の粗利分を収納する回収ＢＯＸと、
を備えるとともに、
前記操作者の属性が遊技店の従業員の場合は、前記帯封収納部からの紙幣の取出しを該従業員にのみ許可する従業員操作モードと、
前記操作者の属性が景品買取業者の場合は、前記景品準備金ＢＯＸからの紙幣の取出しを該景品買取業者にのみ許可する景品業者操作モードと、
前記操作者の属性が警送会社の係員の場合は、前記回収ＢＯＸからの紙幣の取出しを該係員にのみ許可する警送会社操作モードと、
をさらに備えたことを特徴とする売上金入金処理装置。
【請求項２】
投入された千円札を所定の額までは優先的に取り込むとともに、該取り込んだ千円札を両替用として排出する千円リサイクル部を備え、
前記ＩＤ認識の有無に拘わらず、全ての操作者からの両替の要求に応じて前記千円リサイクル部から両替紙幣を排出する両替操作モードをさらに備えたことを特徴とする請求項１に記載の売上金入金処理装置。
【発明の詳細な説明】
【０００１】
【発明の属する技術分野】
本発明はパチンコ店等の遊技店の店舗内に設置される紙幣の売上金入金処理装置に関するもので、特に、店舗関係者のみならず遊技客も含めて利用を可能とする売上金入金処理装置に関する。
【０００２】
【従来の技術】
店舗等に設置されて、該店舗の売上金を店舗関係者が入金する機能を有し、更に顧客操作による該顧客に対する出金サービス機能を備えさせた装置として、例えば、本出願人による特開２０００−１３７８６９号公報や特開２００１−２５６５３４号公報に示される装置がある。
【０００３】
前者のものは、店舗の売上代金として貨幣入出金装置に入金された貨幣の一部を、金融機関の口座及びキャッシュカード若しくはクレジットカードの所有者に対し出金させる機能を付加したものである。
【０００４】
後者のものは、店舗用売上金入金処理装置に出金機の機能を持たせることにより、店舗の売上金回収システムと小売店における出金サービスシステムとを統合したものであり、この出金サービスは店内の顧客を含めて一般の人が使用できるようにしたものである。
【０００５】
これら両者に共通するのは、顧客の口座から引き落とした現金を出金する点であり、このためオンラインを含め複雑な機能が要求される。
【０００６】
一方、遊技店業界においても、店舗の売上金を入金処理できる売上金入金処理装置が切望されている。そこで、本出願人は特願２００２−２０９０３８にて、パチンコ店等の遊技店用に特化した売上金入金処理装置を提案した。上記出願明細書及び図面に書かれた装置では、処理すべき紙幣を一括で受け入れて、使途別、つまり、粗利益、店内運用金（店内準備金と景品準備金の双方を含む）に仕分けるようにしている。この装置は、前記使途別の各収納部を有しており、一括して受け入れた紙幣の全てを、いずれかの収納部へ仕分けして収納するものである。
【０００７】
この装置は、遊技店に設置され遊技店の店員によって操作されるものであるが、前記収納部のうちの粗利益収納部は遊技店の管理外となっている。粗利益収納部に収納された粗利益を管理するのは、遊技店から委託を受けた警送会社であり、該警送会社は前記装置による仕分け処理が完了した後に遊技店を訪れ、粗利益収納部から粗利益を回収し、この粗利益を銀行に持ち込んで遊技店の口座に振り込むことで、手数料を得るようにしている。従って、一旦粗利益収納部に収納された粗利益について遊技店の店員は手が触れられないようになっている。また、パチンコ店等の遊技店においては、営業を行う上で高額紙幣（万円札、５千円札、２千円札）を低額紙幣（千円札）に両替する両替機が必須となっており、現実に多数導入されている。
【０００８】
【特許文献１】
特開２０００−１３７８６９号公報
【０００９】
【特許文献２】
特開２００１−２５６５３４号公報
【００１０】
【特許文献３】
特願２００２−２０９０３８号明細書
【００１１】
【発明が解決しようとする課題】
しかしながら、従来の遊技店における売上金入金処理装置では、両替準備金としての店内準備金を遊技店の従業員が該売上金入金処理装置から取出し、前述の両替機に装填する作業を営業時間内及び営業時間終了後に行っていた。また、特殊景品買取り業者は特殊景品代金を前記従業員から受け取るために、従業員の手が空くまで待たされることがあり、一方、従業員側からすれば、景品買取りのための景品準備金を前記売上金入金処理装置から取出し、前記特殊景品買取り業者に渡す必要があり、双方にとって効率の悪い労力を払っていた。
【００１２】
本発明は上述のような実情に鑑み為されたものであり、景品買取り業者が直接操作して景品準備金を受け取ることができ、また、両替機の機能を付加することで店に設置すべき両替機を少なくすることができ投資を抑制するとともに両替機の減少に伴い作業効率の向上を実現できる売上金入金処理装置を提供することを目的とする。
【００１３】
【課題を解決する為の手段】
本発明は、店舗関係者のみならず遊技客も含めて利用を可能とする売上金入金処理装置に関し、本発明の上記目的は、遊技店の店舗内に設置される売上金入金処理装置であって、該装置は、入力された操作者のＩＤから操作者の属性を判別するＩＤ認識部と、帯封された紙幣を収納する帯封収納部と、特殊景品購入のための準備金を収納する景品準備金ＢＯＸと、売上金の中の粗利分を収納する回収ＢＯＸと、を備えるとともに、前記操作者の属性が遊技店の従業員の場合は、前記帯封収納部からの紙幣の取出しを該従業員にのみ許可する従業員操作モードと、前記操作者の属性が景品買取業者の場合は、前記景品準備金ＢＯＸからの紙幣の取出しを該景品買取業者にのみ許可する景品業者操作モードと、前記操作者の属性が警送会社の係員の場合は、前記回収ＢＯＸからの紙幣の取出しを該係員にのみ許可する警送会社操作モードと、をさらに備えたことを特徴とする売上金入金処理装置によって達成される。この発明により、景品買取り業者は遊技店の従業員に頼ることなく、自分で景品準備金を受け取ることができる。
【００１４】
また、本発明の上記目的は、投入された千円札を所定の額までは優先的に取り込むとともに、該取り込んだ千円札を両替用として排出する千円リサイクル部を備え、前記ＩＤ認識の有無に拘わらず、全ての操作者からの両替の要求に応じて前記千円リサイクル部から両替紙幣を排出する両替操作モードをさらに備えたことを特徴とする前記売上金入金処理装置によって、より効果的に達成される。この発明により、売上金入金処理装置を両替機として利用することが可能となり、両替機の台数を少なくすることができ投資を抑制するとともに、両替機の減少に伴い両替用の紙幣の補填作業が少なくなり、従業員の労力負担の削減も可能となる。
【００１５】
【発明の実施の形態】
図１は、本発明に係る売上金入金処理装置の外観を示すものである。同図中、１は紙幣投入口、２は金額情報入力部及び操作モード切換部としてのキー入力部、２１は表示部、２２はＩＤ認識部としてのカードリーダである。
【００１６】
図２は、前記売上金入金処理装置の構成を示す図である。同図中、１は紙幣投入口、２は金額情報入力部及び操作モード切換部としてのキー入力部、３は繰出搬送部、４は金種識別部、５は仕分部、６は結束部、７は店内準備金収納部としての帯封収納部、８は特殊景品交換代金収納部としての景品準備金ＢＯＸ、９は粗利益収納部としての回収ＢＯＸ、１０は回収ＢＯＸと接続される一時保留部（一保）、１１は両替用の千円札を収納／排出する千円リサイクル部、１２は両替用の紙幣を排出する紙幣返却口、２２はＩＤ認識部としてのＩＤカードリーダである。
【００１７】
図３を参照して各種操作モードについて説明する。
【００１８】
なお、本売上金入金処理装置は、遊技客による両替にも供せられるので、その設置場所は、事務所内ではなくホールフロアとなっている。
【００１９】
初期画面は両替操作モードとすることが好ましい。この両替操作モードのときには両替機能のみが機能し、遊技客が高額紙幣である万円札や五千円札を紙幣投入口１に投入すると、投入された紙幣の金種を金種判別部４で判別しその紙幣を例えば景品準備金ＢＯＸ８に振り分け、該当金種分に相当する枚数の千円札を千円リサイクル部１１から繰り出して紙幣返却口１２に放出させる。なお、前記千円リサイクル部１１に装填されている千円札は、前日の営業終了後に、店舗内の各機器から回収してきた売上金を前記売上金入金処理装置に投入して、各使途別（両替準備金、特殊景品準備金、粗利金）に分別して収納する処理を行う際に、前記売上金の中から両替用として振り向けられたものである。
【００２０】
上記のように遊技客が両替の為に投入した高額紙幣を景品準備金ＢＯＸ８に振り分けるようにした場合には、この紙幣は景品準備金の一部として使用することが可能となる。
【００２１】
この両替操作モードからハードキー等によるモード切り替えによって、警送会社操作モードとすることができ、この警送会社操作モードのときには粗利取出し機能のみが機能する。警送会社の係員が携帯するＩＤカードをカードリーダ２２に読み込ませると共に暗証番号を入力し、装置による照合がなされて初めてこの機能が実行に移される。この機能により回収ＢＯＸ９のみが装置本体から取出し可能となる。
【００２２】
さらに同様なハードキー等によるモード切り替えによって、景品業者操作モードとすることができ、この景品業者操作モードのときには景品準備金取出し機能のみが機能する。景品買取業者が携帯するＩＤカードをカードリーダ２２に読み込ませると共に暗証番号を入力し、装置による照合がなされて初めてこの機能が実行に移される。この機能により景品準備金ＢＯＸ８のみが装置本体から取出し可能となる。
【００２３】
同様にして、従業員操作モードとすることができ、この従業員操作モードのときには入金機能か両替準備金取出し機能のいずれかのみが機能する。従業員が携帯するＩＤカードをカードリーダ２２に読み込ませると共に暗証番号を入力し、装置による照合がなされて初めてこの機能が実行に移される。従業員の職務に応じて例えば主任クラスのみが両替準備金取出し機能を扱えて、一般従業員は入金機能のみが扱えるようにすればより責任分担が明確化される。
【００２４】
店の営業途中で、遊技カード販売機や台間玉貸し機から回収してきた紙幣を、入金機能を操作して入金した場合には、そのうちの千円札については優先的に千円リサイクル部１１に搬送し、高額紙幣については景品準備金ＢＯＸ８に搬送するようにすることが望ましい。
【００２５】
両替準備金取出し機能が操作された場合には、帯封収納部７から帯封済みの千円札の束を取出すことが可能になるが、この機能は専ら店の営業終了後に操作される。
【００２６】
【発明の効果】
以上のように、本発明に係る売上金入金処理装置は両替機能を有しているため、両替専用機の導入台数が減り投資を抑制するとともに、従業員による両替機への両替金装填が不要となるため、作業効率の向上を実現できる。
【００２７】
また、景品業者が直接売上金入金処理装置から景品準備金を受け取ることができるため、ホール従業員の景品業者への代金引き渡し作業が不要となり、従業員の作業負担の軽減となるとともに、景品業者も待たされることがなくなり、作業効率が向上する。
【図面の簡単な説明】
【図１】本発明に係る売上金入金処理装置の外観を示す図である。
【図２】本発明に係る売上金入金処理装置の内部構成を示す図である。
【図３】操作モード移行の遷移図の一例を示す図である。
【符号の説明】
１  紙幣投入口
７  帯封収納部
８  景品準備金ＢＯＸ
９  回収ＢＯＸ
１２  紙幣返却口
２２  カードリーダ
【図１】
2004362494.tif 000003
【図２】
2004362494.tif 000004
【図３】
2004362494.tif 000005